(57)【要約】      （修正有）【課題】フィルムロールが横倒しになっても壊れないように改良された端面保護具を提供する。【解決手段】端面保護具１１は、板状部材１２の面上に直立する突出部１３を有し、一枚の段ボールシート１４から作られている。板状部材１２は、長辺の段ボールシート１４の両端面を内向きに折り込んでなる。突出部１３は、第１の筒状直立部材１７と、第２の筒状直立部材２０とからなる。第１の筒状直立部材１７は、第１直立部材１５及び第２直立部材１６が両側面を互いに重ねて向き合ってなる。第２の筒状直立部材２０は、第３直立部材１８及び第４直立部材１９が両側面を互いに重ねて向き合ってなる。第１直立部材１５及び第２直立部材１６は、段ボールシート１４の中央部分から切り出されている。第３直立部材１８は、段ボールシート１４の両端面の一方から切り出されており、第４直立部材１９は、長辺の段ボールシート１４の両端面の他方から切り出されている。【選択図】図１
2015085994.tif 000002
【特許請求の範囲】
【請求項１】
フィルムロールの両端面に配置されて該フィルムロールの端面を保護するための、板状部材の面上に直立する突出部を有するフィルムロールの端面保護具において、
前記板状部材は、長辺の段ボールシートの両端面を内向きに折り込んでなり、
前記突出部は、
（ａ）  ３壁面を有する第１及び第２直立部材が両側面を互いに重ねて向き合ってなる第１の筒状直立部材と、
（ｂ）  ３壁面を有する第３及び第４直立部材が両側面を互いに重ねて向き合って、前記第１の筒状直立部材を取り囲む、第２の筒状直立部材とからなり、
前記第１及び第２直立部材は、それぞれ前記長辺の段ボールシートの中央部分から切り出されており、
前記第３直立部材は、前記長辺の段ボールシートの両端面の一方から切り出されており、前記第４直立部材は、前記長辺の段ボールシートの両端面の他方から切り出されていることを特徴とするフィルムロールの端面保護具。
【請求項２】
前記第３直立部材には第１係合用爪が設けられており、該第１係合用爪は前記第４直立部材の側壁を貫通し、前記突出部内に入り込んでおり、
前記第４直立部材には第２係合用爪が設けられており、該第２係合用爪は前記第３直立部材の側壁を貫通し、前記突出部内に入り込んでいる、請求項１に記載のフィルムロールの端面保護具。
【請求項３】
前記第３直立部材には第１係合用爪が設けられており、該第１係合用爪は前記第４直立部材及び前記第１直立部材の側壁を貫通し、さらに、前記第２直立部材の側壁を内方に押し込んでおり、
前記第４直立部材には第２係合用爪が設けられており、該第２係合用爪は前記第３直立部材及び前記第２直立部材の側壁を貫通し、さらに、前記第１の直立部材の側壁を内方に押し込んでいる、請求項１に記載のフィルムロールの端面保護具。
【請求項４】
前記長辺の段ボールシートの両端面の一方には第１シート係合用爪が設けられており、
前記長辺の段ボールシートの両端面の他方には前記第１シート係合用爪が係合する第１シート係合用溝が設けられており、
該段ボールシートの両端面を内向きに折り込んだとき、前記第１シート係合用爪が前記第１シート係合用溝に係合する請求項１から３のいずれか１項に記載のフィルムロールの端面保護具。
【請求項５】
前記段ボールシートは、波状に加工した紙を表裏の紙で挟んで接着してなり、
長辺の段ボールシートの両端面を内向きに折り込んでできる両端縁は、内向きになる側の紙が露出するように、外向きになる側の紙が切り込まれている、請求項１〜４のいずれか１項に記載のフィルムロールの端面保護具。
【請求項６】
請求項１〜５のいずれか１項に記載のフィルムロールの端面保護具がフィルムロールの両端面に配置され、
前記突出部が前記フィルムロールのコアの空洞部に挿入され、その状態でフィルムロールが鉛直方向又は水平方向に固定されて段ボール箱に収納されている、フィルムロール包装体。
【発明の詳細な説明】
【技術分野】
【０００１】
本発明は一般にコストダウン及びリサイクルを図ることができるフィルムロールの端面保護具に関するものであり、より特定的には突出部が強固になるように改良された端面保護具に関する。この発明はそのような端面保護具で固定されたフィルムロール包装体に関する。
【背景技術】
【０００２】
図１１は従来のフィルムロールの端面保護具の斜視図である。矩形の段ボール紙１を２枚重ねて形成された板状部材２に、プラスチックで形成された突出部３が設けられて、端面保護具４が構成されている。端面保護具４は、図１２（Ａ）（Ｂ）に示すように、フィルムロール５の両端面に配置される。双方の端面保護具４，４の突出部３を、フィルムロール５のコア６の空洞部に挿入する。フィルムロール５は、例えば熱収縮性筒状ラベル、ストレッチラベルあるいはその他のフィルムがコアを中心にロール状に巻かれたものである。端面保護具４は、フィルムロール５のコア６の両端部を受け止める。
【０００３】
その状態で、図１３（Ａ）に示すように、フィルムロール５を鉛直方向に立てて段ボール箱７に詰められて、図１３（Ｂ）に示すように、天側と底側の蓋をガムテープ８などで封じられる。図１４に示すように、パレット９の上にフィルムロール入りの複数個の段ボール箱７が載せられ、ＰＰバンド１０で束ねられ、トラックなどで搬送される。端面保護具４を付けていないと、フィルムロール５が段ボール箱７内で動いて、フィルムロール５の端面が損傷を受けることがあるが、端面保護具４を付けていると、フィルムロール５の段ボール箱７内での動きが規制されて動かなくなり、フィルムロール５の損傷を防ぐ。
【０００４】
ところで、このような従来のフィルムロールの端面保護具４は、段ボール紙１と突出部３であるプラスチックの２つの部材で形成されているため、コストがかかり、またリサイクルさせる時に両者を分離する必要があるので、リサイクル作業は容易でない。
【０００５】
他の従来技術として、フィルムロールの端面保護具ではないが、感光体ドラムの開口端に配置される、段ボール紙で形成された筒端固定部材に関する技術も提案されているが、その構造は複雑であり、製造が容易でない（例えば特許文献１参照）。
【先行技術文献】
【特許文献】
【０００６】
【特許文献１】特開平９−２９５６６５号公報
【発明の概要】
【発明が解決しようとする課題】
【０００７】
従来のフィルムロールの端面保護具４においては、上述の問題点の他、次の問題があった。すなわち、フィルムロールの受注が大口の場合は、図１４に示すように、複数個の段ボール箱７をＰＰバンド１０などで束ねて鉛直方向に立てて搬送することができる。複数個の段ボール箱７を束ねると、鉛直方向に立てられたフィルムロール５入りの段ボール箱７が倒れるのが防止されるが、受注が小口の場合は、フィルムロール５入りの段ボール箱７を鉛直方向に立てて搬送すると、パレット９の上で倒れてしまうので、図１５（Ａ）を参照して、段ボール箱７を横倒しにして搬送しなければならない。
【０００８】
しかし、図１５（Ｂ）を参照して、フィルムロール５を横倒しにして搬送すると、突出部３と板状部材２とが別部材であり嵌めこみタイプであるため、もろく、フィルムロール５の重みに耐えられず、端面保護具４が壊れてしまう。その結果、フィルムロール５の段ボール箱７内での動きが規制されず、高価なフィルムロール５が損傷を受けるという問題点もあった。
【０００９】
この発明の目的は、上記のような問題点を解決するためになされたもので、横倒しにしても壊れないように改良されたフィルムロールの端面保護具を提供することを目的とする。
【００１０】
この発明の他の目的は、コストダウンを図ることができ、かつ容易にリサイクルすることができるように改良されたフィルムロールの端面保護具を提供することを目的とする。
【００１１】
この発明のさらに他の目的は、そのようなフィルムロールの端面保護具で固定されたフィルムロール包装体を提供することにある。
【課題を解決するための手段】
【００１２】
本発明は、フィルムロールの両端面に配置されて該フィルムロールの端面を保護するための、板状部材の面上に直立する突出部を有するフィルムロールの端面保護具に係る。上記板状部材は、長辺の段ボールシートの両端面を内向きに折り込んでなる。上記突出部は、（ａ）３壁面を有する第１及び第２直立部材が両側面を互いに重ねて向き合ってなる第１の筒状直立部材と、（ｂ）３壁面を有する第３及び第４直立部材が両側面を互いに重ねて向き合って、上記第１の筒状直立部材を取り囲む、第２の筒状直立部材とからなる。上記第１及び第２直立部材は、それぞれ上記長辺の段ボールシートの中央部分から切り出されている。上記第３直立部材は、上記長辺の段ボールシートの両端面の一方から切り出されており、上記第４直立部材は、上記長辺の段ボールシートの両端面の他方から切り出されていることを特徴とする。
【００１３】
この発明によれば、突出部が第１の筒状直立部材と、それを取り囲む第２の筒状部材で構成されるので、第１の筒状直立部材と第２の筒状部材とが互いに補強しあって、強固な突出部となる。また、上記板状部材は、１枚の段ボールシートからなるので、丈夫である。板状部材も突出部もともに段ボールで形成される。
【００１４】
この発明の好ましい実施態様によれば、前記第３直立部材には第１係合用爪が設けられており、該第１係合用爪は前記第４直立部材の側壁を貫通し、上記突出部内に入り込んでいる。前記第４直立部材には第２係合用爪が設けられており、該第２係合用爪は前記第３直立部材の側壁を貫通し、上記突出部内に入り込んでいる。これにより、上記第２の筒状直立部材が上記第１の筒状直立部材を取り囲みながら、強固に固定される。
【００１５】
この発明のさらに好ましい実施態様によれば、前記第３直立部材には第１係合用爪が設けられており、該第１係合用爪は前記第４直立部材及び前記第１直立部材の側壁を貫通し、さらに、前記第２直立部材の側壁を内方に押し込んでいる。前記第４直立部材には第２係合用爪が設けられており、該第２係合用爪は前記第３直立部材及び前記第２直立部材の側壁を貫通し、さらに、前記第１の直立部材の側壁を内方に押し込んでいる。
【００１６】
このように構成すると、第１の直立部材の側壁と第２直立部材の側壁が筒の中で、平面視で、対角線上に立設することになり、より強固な突出部となる。
【００１７】
この発明のさらに好ましい実施態様によれば、上記長辺の段ボールシートの両端面の一方には第１シート係合用爪が設けられており、上記長辺の段ボールシートの両端面の他方には上記第１シート係合用爪が係合する第１シート係合用溝が設けられている。段ボールシートの両端面を内向きに折り込んだとき、上記第１シート係合用爪が上記第１シート係合用溝に係合する。これにより、板状部材が段ボールシートの２枚重ねの状態で安定化する。
【００１８】
この発明のさらに好ましい実施態様によれば、上記段ボールシートは、波状に加工した紙を表裏の紙で挟んで接着してなり、長辺の段ボールシートの両端面を内向きに折り込んでできる両端縁は、内向きになる側の紙が露出するように、外向きになる側の他方の紙が切り込まれている。折り込み易くするためである。
【００１９】
この発明の他の局面に従うフィルムロール包装体は、上記フィルムロールの端面保護具がフィルムロールの両端面に配置され、上記突出部が上記フィルムロールのコアの空洞部に挿入され、その状態でフィルムロールが鉛直方向又は水平方向に固定されて段ボール箱に収納されている。
【発明の効果】
【００２０】
本発明によれば、突出部が第１の筒状直立部材と、それを取り囲む第２の筒状部材で構成されるので、第１の筒状直立部材と第２の筒状部材とが互いに補強しあって、強固な突出部となる。また、上記板状部材は、１枚の段ボールシートからなるので、丈夫である。板状部材も突出部もともに段ボール紙で形成されるので、リサイクルが容易である。
【図面の簡単な説明】
【００２１】
【図１】（Ａ）は実施例１に係るフィルムロールの端面保護具の斜視図であり、（Ｂ）は突出部の拡大図である。
【図２】（Ａ）は端面保護具１１の展開図であり、（Ｂ）は、両端折り（観音折り）をした場合の、中央部（Ａ面）及び両端面（Ｂ面とＣ面）上に、切り出されて直立する部材のそれぞれを立体的に示したアイソメ図である。
【図３】（Ａ）は段ボールシートを両端折りしている様子を示す概念図であり、（Ｂ）はそのときの係合用爪と係合用溝の係合の関係、Ａ面、Ｂ面、Ｃ面の位置関係を示す図である。
【図４】（Ａ）は両端折りが完結する直前の遷移状態を示し、（Ｂ）は両端折りが完結したときの斜視図であり、（Ｃ）は、図４（Ｂ）におけるＤ端縁の正面図である。
【図５】実施例１に係るフィルムロールの端面保護具を用いて、フィルムロールを段ボール箱に収納するまでの工程を示す断面図である。
【図６】（Ａ）は実施例３に係るフィルムロールの端面保護具の斜視図であり、（Ｂ）は突出部の拡大図である。
【図７】（Ａ）は実施例３に係る端面保護具の展開図であり、（Ｂ）は、両端折り（観音折り）をした場合の、中央部（Ａ面）及び両端面（Ｂ面とＣ面）上に、切り出されて直立する部材のそれぞれを立体的に示したアイソメ図である。
【図８】（Ａ）は両端折りが完結し、組み立て終了の直前の遷移状態を示し、（Ｂ）は突出部の拡大図である。
【図９】組み立ての最終段階の係合用爪と係合用溝の係合の関係、Ａ面、Ｂ面、Ｃ面の位置関係を示す図である。
【図１０】実施例３に係るフィルムロールの端面保護具の組み立てが完了したときの斜視図である。
【図１１】従来のフィルムロールの端面保護具の斜視図である。
【図１２】従来のフィルムロールの端面保護具の使用方法を示す図である。
【図１３】（Ａ）従来のフィルムロールの端面保護具をフィルムロールに取り付けて段ボール箱を収納する様子を示す図であり、（Ｂ）はガムテープで段ボール箱を封じた様子を示す図である。
【図１４】パレットの上にフィルムロール入りの複数個の段ボール箱を載せて、ＰＰバンドで固定した時の斜視図であり、トラック運送の直前の図である。
【図１５】従来のフィルムロールの端面保護具の問題点を説明する図である。
【発明を実施するための形態】
【００２２】
横倒しにしても壊れないように改良されたフィルムロールの端面保護具を得るという目的を、突出部を、互いに補強し合う第１の筒状直立部材と、それを取り囲む第２の筒状部材とで構成し、これらを１枚の段ボールシートから切り出すことによって実現した。
【００２３】
以下、本発明の実施例を、添付図面を参照して説明する。各図中、同一又は相当する部分には同一の参照番号を付し、その説明を繰り返さない。
【実施例１】
【００２４】
図１（Ａ）と図１（Ｂ）を参照して、端面保護具１１は、フィルムロールの両端面に配置されて該フィルムロールの端面を保護するためのものであり、板状部材１２の面上に直立する突出部１３を有し、一枚の段ボールシート１４から作られている。段ボールシート１４は、波状に加工した紙を表紙と裏紙で挟んで接着してなる。これについては後述する。
【００２５】
板状部材１２は、長辺の段ボールシート１４の両端面を内向きに折り込んでなる。突出部１３は、図１（Ｂ）を参照して、第１の筒状直立部材１７と、該第１の筒状直立部材１７を取り囲む第２の筒状直立部材２０とからなる。第１の筒状直立部材１７は、３壁面を有する第１直立部材１５及び第２直立部材１６が両側面を互いに重ねて向き合ってなる。第２の筒状直立部材２０は、３壁面を有する第３直立部材１８及び第４直立部材１９が両側面を互いに重ねて向き合ってなる。
【００２６】
実施例に係る端面保護具１１によれば、１枚の段ボールシートで、板状部材と１２と突出部１３が一体的に構成されているので、丈夫である。また、図１（Ａ）を参照して、フィルムロールの端面を保護する板状部材１２は、段ボール紙が２枚重ねになっているので、丈夫である。さらに、図１（Ｂ）を参照して、突出部１３が第１の筒状直立部材１７と、それを取り囲む第２の筒状部材２０で構成されるので、第１の筒状直立部材１７と第２の筒状部材２０とが互いに補強しあって、強固な突出部１３となる。さらに、図１（Ｂ）を参照して、突出部１３の角部が段ボール紙の３枚重ねになるので丈夫である。
【００２７】
次に製造方法を説明しながら、端面保護具１１の構造についてさらに明らかにする。
【００２８】
図２（Ａ）は、端面保護具１１の展開図であり、一枚の段ボールシート１４に切り込み（実線）及び折り目（点線）が付けられている。折り目（点線）は、折り込み易くするために、厚み方向にハーフカットされている。これについては後述する。段ボールシート１４は、波状に加工した紙２２を表紙と裏紙で挟んで接着してなる。図には、波状に加工した紙２２の、波の上部の尖り部分を併記している。
【００２９】
図２（Ａ）（Ｂ）を参照して、第１直立部材１５及び第２直立部材１６は、それぞれ長辺の段ボールシート１４の中央部分（Ａ面）から切り出されている。第３直立部材１８は、長辺の段ボールシート１４の両端面の一方（Ｂ面）から切り出されており、第４直立部材１９は、長辺の段ボールシート１４の両端面の他方（Ｃ面）から切り出されている。長辺の段ボールシートの中央部分（Ａ面）には、第１及び第２直立部材１５，１６に接するように、第１及び第２直立部材１５，１６を指で立て易くするための、指が通るほどの貫通孔１５ｈ、１６ｈが設けられている。
【００３０】
図２（Ｂ）を参照して、第３直立部材１８には第１係合用爪１８ａが設けられており、第４直立部材１９には第１係合用爪１８ａが係合する第１係合用溝１９ａが設けられている。また、第３直立部材１８には第２係合用溝１８ｂが設けられており、第４直立部材１９には第２係合用溝１８ｂに係合する第２係合用爪１９ｂが設けられている。
【００３１】
図３(Ａ)に示すように段ボールシート１４を両端折り（観音折り）する。両端折りした後、図３（Ｂ）を参照して、第３直立部材１８に設けられた第１係合用爪１８ａを第４直立部材１９に設けられた第１係合用溝１９ａに係合させることにより、さらに、第４直立部材１９に設けられた第２係合用爪１９ｂを第３直立部材１８に設けられた第２係合用溝１８ｂに係合させることにより、第２の筒状直立部材２０が第１の筒状直立部材１７をしっかりと取り囲む。図３（Ｂ）において、折れ目２１ａが離れているが、これは図面作成上の便宜で離されて描かれているが、実際は図３（Ａ）に示すように離れていない、折れ目２１ｂも同様である。
【００３２】
図４（Ａ）は、両端折りが完結する直前の遷移状態を示す。位置関係を明確にするために、Ｂ面とＣ面については骨格構造だけを示す。図３と図４（Ａ）の遷移状態図を参照して、長辺の段ボールシート１４の両端面の一方（Ｂ面）には第１シート係合用爪Ｂ−ａが設けられており、長辺の段ボールシート１４の両端面の他方（Ｃ面）には第１シート係合用爪Ｂ−ａが係合する第１シート係合用溝Ｃ−ａが設けられており、さらに、長辺の段ボールシート１４の両端面の一方（Ｂ面）には第２シート係合用溝Ｂ−ｂが設けられており、長辺の段ボールシート１４の両端面の他方（Ｃ面）には第２シート係合用溝Ｂ−ｂに係合する第２シート係合用爪Ｃ−ｂが設けられており、これらは、両端面Ｂ，Ｃ面を内向きにさらに折り込んで、両端折りが完結したとき、係合する。
【００３３】
図３（Ｂ）を参照して、第１シート係合用溝Ｃ−ａは、第２係合用爪１９ｂが切り出されて、Ｃ面に残されて出来たものである。第２シート係合用溝Ｂ−ｂは、第１係合用爪１８ａが切り出されて、Ｂ面に残されて出来たものである。第２シート係合用爪Ｃ−ｂは、第２シート係合用溝Ｂ−ｂに嵌り合うように、その位置及び大きさが選ばれてＣ面に切り出されている。第１シート係合用爪Ｂ−ａは、第１シート係合用溝Ｃ−ａに嵌り合うように、その位置及び大きさが選ばれてＢ面に切り出されている。
【００３４】
図４（Ｂ）は、両端折りが完結したときの斜視図であり、図１に相当するものである。
【００３５】
図４（Ｃ）は、図４（Ｂ）におけるＤ端縁すなわち折れ目２１ａの正面図である。図４（Ｂ）と（Ｃ）を参照して、段ボールシート１４は、波状に加工した紙２２を表裏の紙２３，２４で挟んで接着してなる。長辺の段ボールシートの両端面を内向きに折り込んでできる両端縁の折れ目２１ａ，２１ｂは、内向きになる側の紙２４が露出するように、外向きになる側の紙２３が切り込まれている（ハーフカットされている）。折り込み易くするためである。長辺の段ボールシート１４は、折れ目２１ａ，２１ｂにおいて、紙一重で、すなわち内向きになる側の紙２４でつながっている。
【実施例２】
【００３６】
次に、上述の端面保護具を用いて、フィルムロールを段ボール箱に収納するまでの工程を示す。図５（Ａ）を参照して、端面保護具１１は、フィルムロール６の両端面に配置される。図５（Ｂ）に示すように、端面保護具１１の板状部材１２の面上に直立する突出部１３が、フィルムロール５のコア６の空洞部に挿入される。この状態で、図５（Ｃ）を参照して、フィルムロール５が横倒し又は鉛直方向に立てられて段ボール箱７に収納される。段ボール箱７の天側と底側の蓋はガムテープなどで封じられる。得られたフィルムロール包装体は横倒し又は鉛直方向に立ててパレットの上に載せられてトラックなどで搬送される。フィルムロール５は、端面保護具１１により、段ボール箱７の中で、その動きが規制されて、段ボール箱７の内壁と接触することもなく、何ら損傷を受けない。搬送後、フィルムロール５を取り出した後の段ボール箱７及び端面保護具１１は、段ボール紙のみであるので、そのままリサイクルされる。
【００３７】
本実施例によれば、図１（Ｂ）を再び参照して、突出部１３が第１の筒状直立部材１７と、それを取り囲む第２の筒状部材２０で構成されるので、第１の筒状直立部材１７と第２の筒状部材２０とが互いに補強しあって、強固な突出部１３となる。また、突出部１３の角部が段ボールシートの３枚重ねになるので、強固である。さらに、図２（Ｂ）を参照して、第１の筒状直立部材１７（第１直立部材１５及び第２直立部材１６）を構成する段ボール紙の波方向と第２の筒状直立部材２０（第３直立部材１８及び第４直立部材１９）を構成する段ボール紙の波方向（２２）は互いに直交するので、折れ曲げに強い。これらの効果が相乗して、横倒しになっても壊れない強固なフィルムロールの端面保護具１１が得られる。
【実施例３】
【００３８】
実施例１では、図１（Ｂ）を再び参照して、第３直立部材１８には第１係合用爪１８ａが設けられており、該第１係合用爪１８ａは第４直立部材１９の側壁を貫通し、突出部１３内に入り込んでおり、第４直立部材１９には第２係合用爪１９ｂが設けられており、該第２係合用爪１９ｂは第３直立部材１８の側壁を貫通し、突出部１３内に入り込んでいる場合を例示したが、この発明はこれに限られるものではない。
【００３９】
実施例３に係る端面保護具が実施例１に係る端面保護具と異なる要点は、後述する図６（Ｂ）を参照して、第３直立部材１８には第１係合用爪１８ａが設けられており、該第１係合用爪１８ａは第４直立部材１９及び第１直立部材１５の側壁を貫通し、さらに、第２直立部材１６の側壁を内方に押し込んでいる点である。同様に、第４直立部材１９には第２係合用爪１９ｂが設けられており、該第２係合用爪１９ｂは第３直立部材１８及び第２直立部材１６の側壁を貫通し、さらに、第１の直立部材１５の側壁を内方に押し込んでいる点である。さらに詳細に説明する。
【００４０】
図６（Ａ）と図６（Ｂ）を参照して、実施例３に係る端面保護具１１は、板状部材１２の面上に直立する突出部１３を有し、一枚の段ボールシート１４から作られている。
【００４１】
板状部材１２は、長辺の段ボールシート１４の両端面を内向きに折り込んでなる。突出部１３は、図６（Ｂ）を参照して、第１の筒状直立部材１７と、該第１の筒状直立部材１７を取り囲む第２の筒状直立部材２０とからなる。第１の筒状直立部材１７は、３壁面を有する第１直立部材１５及び第２直立部材１６が両側面を互いに重ねて向き合ってなる。第２の筒状直立部材２０は、３壁面を有する第３直立部材１８及び第４直立部材１９が両側面を互いに重ねて向き合ってなる。
【００４２】
実施例３に係る端面保護具１１によれば、１枚の段ボールシートで、板状部材と１２と突出部１３が一体的に構成されているので、丈夫である。また、図６（Ａ）を参照して、フィルムロールの端面を保護する板状部材１２は、段ボール紙が２枚重ねになっているので、丈夫である。さらに、図６（Ｂ）を参照して、突出部１３が第１の筒状直立部材１７と、それを取り囲む第２の筒状部材２０で構成されるので、第１の筒状直立部材１７と第２の筒状部材２０とが互いに補強しあって、強固な突出部１３となる。さらに、図６（Ｂ）を参照して、該第１係合用爪１８ａは第４直立部材１９及び第１直立部材１５の側壁を貫通し、さらに、第２直立部材１６の側壁を内方に押し込んでおり、同様に、該第２係合用爪１９ｂは第３直立部材１８及び第２直立部材１６の側壁を貫通し、さらに、第１の直立部材１５の側壁を内方に押し込んでいる。その結果、第１の直立部材１５の側壁と第２直立部材１６の側壁が筒の中で、平面視で、対角線上に立設することになり、実施例１に比べて、より強固な突出部１３となる。
【００４３】
次に製造方法を説明しながら、端面保護具１１の構造についてさらに明らかにする。
【００４４】
図７（Ａ）は、実施例３に係る端面保護具１１の展開図であり、一枚の段ボールシート１４に切り込み（実線）及び折り目（点線）が付けられている。
【００４５】
図７（Ａ）（Ｂ）を参照して、第１直立部材１５及び第２直立部材１６は、それぞれ長辺の段ボールシート１４の中央部分（Ａ面）から切り出されている。第３直立部材１８は、長辺の段ボールシート１４の両端面の一方（Ｂ面）から切り出されており、第４直立部材１９は、長辺の段ボールシート１４の両端面の他方（Ｃ面）から切り出されている。
【００４６】
図７（Ｂ）と図６（Ｂ）を参照して、第３直立部材１８には第１係合用爪１８ａが設けられている。第４直立部材１９には、第１係合用爪１８ａに押し込まれることにより、内方に押し込まれる第１の押し込み部材２５が切り出されるように切り込みが入れられている。第１の押し込み部材２５が形成されている領域は、これが押し込まれた後は、第１係合用爪１８ａが貫通する第１係合用溝１９ａとなる。
【００４７】
また、第４直立部材１９には、第２係合用爪１９ｂが設けられている。第３直立部材１８には、第２係合用爪１９ｂに押し込まれることにより、内方に押し込まれる第２の押し込み部材２６が切り出されるように切り込みが入れられている。第２の押し込み部材２６が形成されている領域は、これが押し込まれた後、第２係合用爪１９ｂが貫通する第２係合用溝１８ｂとなる。
【００４８】
また、第１の直立部材１５には、内方に押し込むことにより、第２の直立部材１６の側壁を内方に押しやる第３の押し込み部材２７が切り出されるように切り込みが入れられている。第３の押し込み部材２７が形成されている領域は、これが押し込まれた後、溝１５ａとなる。同様に、第２の直立部材１６には、内方に押し込むことにより、第１の直立部材１５の側壁を内方に押し込む第４の押し込み部材２８が切り出されるように切り込みが入れられている。第４の押し込み部材２８が形成されている領域は、これが押し込まれた後、溝１６ａとなる。
【００４９】
図８（Ａ）は、両端折りが完結した直後の、端面保護具の斜視図である。図８（Ｂ）は、突出部１３の拡大図である。突出部１３については、骨格構造だけを示す。この状態から、次に、該第１係合用爪１８ａを、矢印の方向に折り込んで、第４直立部材１９及び第１直立部材１５の側壁を貫通させ、さらに、第２直立部材１６の側壁を内方に押し込むのである。同様に、第２係合用爪１９ｂを矢印の方向に折り込んで、第３直立部材１８及び第２直立部材１６の側壁を貫通させ、さらに、第１の直立部材１５の側壁を内方に押し込むのである。これについてさらに詳しく説明する。
【００５０】
図９を参照して、第３直立部材１８に設けられた第１係合用爪１８ａで、第４直立部材１９に設けられた第１の押し込み部材２５を内方に押し込むと、第１の押し込み部材２５がさらに第１の直立部材１５に切り込まれた第３の押し込み部材２７を内方に押し込む。すると、第３の押し込み部材２７が、第２直立部材１６の一方の側壁を内方に押し込む。これにより、第２直立部材１６の側壁は、平面視で対角線上に立つ。
【００５１】
同様に、第４直立部材１９に設けられた第２係合用爪１９ｂで、第３直立部材１８に設けられた第２の押し込み部材２６を内方に押し込む。第２の押し込み部材２６が、さらに第２の直立部材１６に切り込まれた第４の押し込み部材２８を内方に押し込む。すると、第４の押し込み部材２８が、第１直立部材１５の一方の側壁を内方に押し込む。これにより、第１直立部材１５の側壁は、平面視で対角線上に立つ。図９において、折れ目２１ａが離れているが、これは図面作成上の便宜で離されて描かれており、実際は離れていない、折れ目２１ｂも同様である。
【００５２】
図１０は、組み立てが完結したときの斜視図であり、図６（Ａ）に相当するものである。図４（Ｂ）と同一又は相当する部分には同一の参照番号を付し、その説明を繰り返さない。
【００５３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５４】
本発明のフィルムロールの端面保護具は、フィルムロールが横倒しになっても壊れない。また板状部材も突出部もともに段ボールで形成されているので、リサイクルが容易である。
【符号の説明】
【００５５】
１            段ボール紙
２            板状部材
３            突出部
４            フィルムロールの端面保護具
５            フィルムロール
６            コア
７            段ボール箱
８            ガムテープ
９            パレット
１０            ＰＰバンド
１１            端面保護具
１２            板状部材
１３            突出部
１４            段ボールシート
１５            第１直立部材
１６            第２直立部材
１５ａ，１６ａ  溝
１５ｈ，１６ｈ  貫通孔
１７            第１の筒状直立部材
１８            第３直立部材
１９            第４直立部材
１８ａ          第１係合用爪
１９ａ          第１係合用溝
１９ｂ          第２係合用爪
１８ｂ          第２係合用溝
２０            第２の筒状直立部材
２１ａ、２１ｂ  折れ目
２２            波状に加工した紙
２３，２４      表紙又は裏紙
２５            第１の押し込み部材
２６            第２の押し込み部材
２７            第３の押し込み部材
２８            第４の押し込み部材
Ｂ−ａ          第１シート係合用爪
Ｃ−ａ          第１シート係合用溝
Ｃ−ｂ          第２シート係合用爪
Ｂ−ｂ          第２シート係合用溝
【図１】
2015085994.tif 000003
【図２】
2015085994.tif 000004
【図３】
2015085994.tif 000005
【図４】
2015085994.tif 000006
【図５】
2015085994.tif 000007
【図６】
2015085994.tif 000008
【図７】
2015085994.tif 000009
【図８】
2015085994.tif 000010
【図９】
2015085994.tif 000011
【図１０】
2015085994.tif 000012
【図１１】
2015085994.tif 000013
【図１２】
2015085994.tif 000014
【図１３】
2015085994.tif 000015
【図１４】
2015085994.tif 000016
【図１５】
2015085994.tif 000017